(57)【特許請求の範囲】
【請求項１】
携帯に便利なセルフクリーニング文字展示系統であって、文字書写箱を含み、前記文字書写箱の中には下方に開口した収納空間が設置され、前記収納空間の後端壁には駆動機構が設置され、前記駆動機構は前記携帯に便利なセルフクリーニング文字展示系統の運行を制御でき、
前記駆動機構の左右両側には展示機構が設置され、前記展示機構は上下にスライド可能な中空ブロックとソリッドブロックとを含み、前記中空ブロックと前記ソリッドブロックとが共に運動し、前記中空ブロックと前記ソリッドブロックとの間には回転可能な展示板が設置され、前記展示板の下端面に文字を書写でき、前記展示板の上端面は控えの書写面であり、前記駆動機構は前記展示機構を駆動して下へ外部空間まで伸び出してから前記展示板を回転連動させることで、控えの書写面を下に向かせて前記展示機構を収め、前記駆動機構と前記展示機構との間には前記展示板を洗浄できる洗浄機構が設置されていることを特徴とする携帯に便利なセルフクリーニング文字展示系統。
【請求項２】
前記駆動機構は前記収納空間の後端壁と固定的に連結されたモータを含み、前記モータの前端面にはモータ軸が回転可能に設置され、前記モータ軸において後から前にかけて順次に半歯車、第一傘歯車と第一扇形傘歯車とが固定的に設置され、前記収納空間の上端壁には頂部軸が回転可能に設置され、前記頂部軸には第二扇形傘歯車が固定的に設置され、前記頂部軸の下端には第二傘歯車が固定的に設置され、前記第二傘歯車と前記第一傘歯車とが噛合伝動することを特徴とする請求項１に記載の携帯に便利なセルフクリーニング文字展示系統。
【請求項３】
前記展示機構は前記収納空間の左端壁の中に位置した移動溝を含み、前記移動溝が右方に開口しており、前記移動溝の中には移動ブロックがスライド可能に設置され、前記移動ブロックの右端面には右端が前記収納空間の中に位置した移動棒が固定的に設置され、前記移動棒の右端には前記中空ブロックが固定的に設置され、前記中空ブロックの右端面には第一ラックブロックが固定的に設置され、前記中空ブロックの中には右方と上方とに開口した方形空間が設置され、前記方形空間の左端壁の上側には右端が前記収納空間の中に位置した伝動軸が設置され、前記伝動軸の右端には第三傘歯車が固定的に設置され、前記方形空間の中の前記伝動軸には第一プーリが固定的に設置され、前記方形空間の左端壁の中の下側には右方に開口した円柱空間が設置され、前記円柱空間の上下端壁には前記円柱空間に向かって開口した止空間が対称に設置され、前記円柱空間の左端壁には右端が前記収納空間の中に位置した長軸が回転可能に設置されていることを特徴とする請求項２に記載の携帯に便利なセルフクリーニング文字展示系統。
【請求項４】
前記円柱空間の中の前記長軸の上端面には上方に開口した弾性空間が設置され、前記弾性空間の下端壁には弾性ばねが固定的に設置され、前記弾性ばねの上端には上端が上側の前記止空間の中に位置した弾性ブロックが固定的に設置され、前記方形空間の中の前記長軸には第二プーリが固定的に設置され、前記第二プーリと前記第一プーリとがベルトにより摩擦伝動し、前記長軸の右端には前記展示板が固定的に設置され、前記収納空間の右端壁の中には左方に開口した運動溝が設置され、前記運動溝の中には運動ブロックがスライド可能に設置され、前記運動ブロックの左端面には運動棒が固定的に設置され、前記運動棒の左端と前記ソリッドブロックとが固定的に連結され、前記ソリッドブロックの左端面には第二ラックブロックが固定的に設置され、前記第二ラックブロックの左端面の下側には短軸が回転可能に設置され、前記短軸と前記展示板とが固定的に連結されていることを特徴とする請求項３に記載の携帯に便利なセルフクリーニング文字展示系統。
【請求項５】
前記洗浄機構は前記収納空間の後端壁に固定的に連結された支持棒を含み、前記支持棒の中には前記支持棒を貫通した支持軸が回転可能に設置され、前記支持軸の上端には第四傘歯車が固定的に設置され、前記支持軸の下端には円形ブロックが固定的に設置され、前記円形ブロックの下端面には短棒が固定的に設置され、前記収納空間の後端壁には溝ブロックがヒンジにより連結され、前記溝ブロックの中には前記溝ブロックの前後端面を貫通した制限溝が設置され、前記短棒の後端が前記制限溝の中に位置しており、前記溝ブロックの後端面には洗浄綿が固定的に設置されていることを特徴とする請求項４に記載の携帯に便利なセルフクリーニング文字展示系統。
【請求項６】
前記半歯車が回転する時にまず前記第一ラックブロックと噛合伝動してから前記第二ラックブロックと噛合伝動することを特徴とする請求項４に記載の携帯に便利なセルフクリーニング文字展示系統。
【請求項７】
前記第二扇形傘歯車が回転した後にまず前記第三傘歯車と噛合伝動し、前記第一扇形傘歯車が回転した後に前記第四傘歯車と噛合伝動することを特徴とする請求項５に記載の携帯に便利なセルフクリーニング文字展示系統。
【発明の詳細な説明】
【技術分野】
【０００１】
本願発明は文字展示分野に関し、具体的には携帯に便利なセルフクリーニング文字展示系統に関する。
【背景技術】
【０００２】
社会の発展や企業、学校等の改善につれて、会議や講座等が増えて来る中、ホワイトボードや、黒板等文字を書く又は展示するものがだんだん普及されるようになり、携帯の便利を図るため、ホワイトボードや黒板の書写面積が割と小さく、それが原因として、書いては拭き、拭いては書く必要があり、聞き手の記録が不便で、話し手の理路も中断しやすく、こする間に、使用者の手部に汚れがつきやすい。
【先行技術文献】
【特許文献】
【０００３】
【特許文献１】中国特許出願公開第１１００８５０８７号明細書
【発明の概要】
【発明が解決しようとする課題】
【０００４】
本願発明の課題は携帯に便利なセルフクリーニング文字展示系統を提供し、書写板が手動で書く必要があり、使用面積が小さい等の問題を解決できる。
【課題を解決するための手段】
【０００５】
本発明は以下の技術プランを提供する：本願発明の携帯に便利なセルフクリーニング文字展示系統は、文字書写箱を含み、前記文字書写箱の中には下方に開口した収納空間が設置され、前記収納空間の後端壁には駆動機構が設置され、前記駆動機構は前記携帯に便利なセルフクリーニング文字展示系統の運行を制御でき、
前記駆動機構の左右両側には展示機構が設置され、前記展示機構は上下にスライド可能な中空ブロックとソリッドブロックとを含み、前記中空ブロックと前記ソリッドブロックとが共に運動し、前記中空ブロックと前記ソリッドブロックとの間には回転可能な展示板が設置され、前記展示板の下端面に文字を書写でき、前記展示板の上端面は控えの書写面であり、前記駆動機構は前記展示機構を駆動して下へ外部空間まで伸び出してから前記展示板を回転連動させることで、控えの書写面を下に向かせて前記展示機構を収め、
前記駆動機構と前記展示機構との間には前記展示板を洗浄できる洗浄機構が設置されている。
【０００６】
前述した技術プランの上で、前記駆動機構は前記収納空間の後端壁と固定的に連結されたモータを含み、前記モータの前端面にはモータ軸が回転可能に設置され、前記モータ軸において後から前にかけて順次に半歯車、第一傘歯車と第一扇形傘歯車とが固定的に設置され、前記収納空間の上端壁には頂部軸が回転可能に設置され、前記頂部軸には第二扇形傘歯車が固定的に設置され、前記頂部軸の下端には第二傘歯車が固定的に設置され、前記第二傘歯車と前記第一傘歯車とが噛合伝動する。
【０００７】
前述した技術プランの上で、前記展示機構は前記収納空間の左端壁の中に位置した移動溝を含み、前記移動溝が右方に開口しており、前記移動溝の中には移動ブロックがスライド可能に設置され、前記移動ブロックの右端面には右端が前記収納空間の中に位置した移動棒が固定的に設置され、前記移動棒の右端には前記中空ブロックが固定的に設置され、前記中空ブロックの右端面には第一ラックブロックが固定的に設置され、前記中空ブロックの中には右方と上方とに開口した方形空間が設置され、前記方形空間の左端壁の上側には右端が前記収納空間の中に位置した伝動軸が設置され、前記伝動軸の右端には第三傘歯車が固定的に設置され、前記方形空間の中の前記伝動軸には第一プーリが固定的に設置され、前記方形空間の左端壁の中の下側には右方に開口した円柱空間が設置され、前記円柱空間の上下端壁には前記円柱空間に向かって開口した止空間が対称に設置され、前記円柱空間の左端壁には右端が前記収納空間の中に位置した長軸が回転可能に設置されている。
【０００８】
前述した技術プランの上で、前記円柱空間の中の前記長軸の上端面には上方に開口した弾性空間が設置され、前記弾性空間の下端壁には弾性ばねが固定的に設置され、前記弾性ばねの上端には上端が上側の前記止空間の中に位置した弾性ブロックが固定的に設置され、前記方形空間の中の前記長軸には第二プーリが固定的に設置され、前記第二プーリと前記第一プーリとがベルトにより摩擦伝動し、前記長軸の右端には前記展示板が固定的に設置され、前記収納空間の右端壁の中には左方に開口した運動溝が設置され、前記運動溝の中には運動ブロックがスライド可能に設置され、前記運動ブロックの左端面には運動棒が固定的に設置され、前記運動棒の左端と前記ソリッドブロックとが固定的に連結され、前記ソリッドブロックの左端面には第二ラックブロックが固定的に設置され、前記第二ラックブロックの左端面の下側には短軸が回転可能に設置され、前記短軸と前記展示板とが固定的に連結されている。
【０００９】
前述した技術プランの上で、前記洗浄機構は前記収納空間の後端壁に固定的に連結された支持棒を含み、前記支持棒の中には前記支持棒を貫通した支持軸が回転可能に設置され、前記支持軸の上端には第四傘歯車が固定的に設置され、前記支持軸の下端には円形ブロックが固定的に設置され、前記円形ブロックの下端面には短棒が固定的に設置され、前記収納空間の後端壁には溝ブロックがヒンジにより連結され、前記溝ブロックの中には前記溝ブロックの前後端面を貫通した制限溝が設置され、前記短棒の後端が前記制限溝の中に位置しており、前記溝ブロックの後端面には洗浄綿が固定的に設置されている。
【００１０】
前述した技術プランの上で、前記半歯車が回転する時にまず前記第一ラックブロックと噛合伝動してから前記第二ラックブロックと噛合伝動する。
【００１１】
前述した技術プランの上で、前記第二扇形傘歯車が回転した後にまず前記第三傘歯車と噛合伝動し、前記第一扇形傘歯車が回転した後に前記第四傘歯車と噛合伝動する。
【発明の効果】
【００１２】
本願発明の有益効果は：本装置の内部には正反面に書写できる展示板が装着され、携帯に便利であり、日常の書写に用いられ、展示板の一面が汚れた後他面に書写でき、材料を省くと同時に、人力によって展示板を拭く時間を省き、使用者の両手を保護する。
【図面の簡単な説明】
【００１３】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の携帯に便利なセルフクリーニング文字展示系統の全体断面の正面構成概略図
【図２】図２は図１の「Ａ」の拡大図
【図３】図３は図１の「Ｂ」の拡大図
【図４】図４は図１の「Ｃ―Ｃ」方向の構成図
【図５】図５は図３の「Ｄ―Ｄ」方向の構成図
【発明を実施するための形態】
【００１５】
図１〜５の示したように、携帯に便利なセルフクリーニング文字展示系統であって、文字書写箱１０を含み、前記文字書写箱１０の中には下方に開口した収納空間１８が設置され、前記収納空間１８の後端壁には駆動機構８０が設置され、前記駆動機構８０は前記携帯に便利なセルフクリーニング文字展示系統の運行を制御でき、
前記駆動機構８０の左右両側には展示機構８１が設置され、前記展示機構８１は上下にスライド可能な中空ブロック１１とソリッドブロック３０とを含み、前記中空ブロック１１と前記ソリッドブロック３０とが共に運動し、前記中空ブロック１１と前記ソリッドブロック３０との間には回転可能な展示板３５が設置され、前記展示板３５の下端面に文字を書写でき、前記展示板３５の上端面は控えの書写面であり、前記駆動機構８０は前記展示機構８１を駆動して下へ外部空間まで伸び出してから前記展示板３５を回転連動させることで、控えの書写面を下に向かせて前記展示機構８１を収め、
前記駆動機構８０と前記展示機構８１との間には前記展示板３５を洗浄できる洗浄機構８２が設置されている。
【００１６】
有益的に、前記駆動機構８０は前記収納空間１８の後端壁と固定的に連結されたモータ５５を含み、前記モータ５５の前端面にはモータ軸２９が回転可能に設置され、前記モータ軸２９において後から前にかけて順次に半歯車１３、第一傘歯車２８と第一扇形傘歯車３３とが固定的に設置され、前記収納空間１８の上端壁には頂部軸２４が回転可能に設置され、前記頂部軸２４には第二扇形傘歯車２５が固定的に設置され、前記頂部軸２４の下端には第二傘歯車２３が固定的に設置され、前記第二傘歯車２３と前記第一傘歯車２８とが噛合伝動する。
【００１７】
有益的に、前記展示機構８１は前記収納空間１８の左端壁の中に位置した移動溝１４を含み、前記移動溝１４が右方に開口しており、前記移動溝１４の中には移動ブロック１７がスライド可能に設置され、前記移動ブロック１７の右端面には右端が前記収納空間１８の中に位置した移動棒１６が固定的に設置され、前記移動棒１６の右端には前記中空ブロック１１が固定的に設置され、前記中空ブロック１１の右端面には第一ラックブロック３６が固定的に設置され、前記中空ブロック１１の中には右方と上方とに開口した方形空間１５が設置され、前記方形空間１５の左端壁の上側には右端が前記収納空間１８の中に位置した伝動軸１９が設置され、前記伝動軸１９の右端には第三傘歯車２２が固定的に設置され、前記方形空間１５の中の前記伝動軸１９には第一プーリ２０が固定的に設置され、前記方形空間１５の左端壁の中の下側には右方に開口した円柱空間３９が設置され、前記円柱空間３９の上下端壁には前記円柱空間３９に向かって開口した止空間４４が対称に設置され、前記円柱空間３９の左端壁には右端が前記収納空間１８の中に位置した長軸３７が回転可能に設置されている。  
【００１８】
前記円柱空間３９の中の前記長軸３７の上端面には上方に開口した弾性空間４１が設置され、前記弾性空間４１の下端壁には弾性ばね４０が固定的に設置され、前記弾性ばね４０の上端には上端が上側の前記止空間４４の中に位置した弾性ブロック４３が固定的に設置され、前記方形空間１５の中の前記長軸３７には第二プーリ３８が固定的に設置され、前記第二プーリ３８と前記第一プーリ２０とがベルト１２により摩擦伝動し、前記長軸３７の右端には前記展示板３５が固定的に設置され、前記収納空間１８の右端壁の中には左方に開口した運動溝３２が設置され、前記運動溝３２の中には運動ブロック２７がスライド可能に設置され、前記運動ブロック２７の左端面には運動棒２６が固定的に設置され、前記運動棒２６の左端と前記ソリッドブロック３０とが固定的に連結され、前記ソリッドブロック３０の左端面には第二ラックブロック３１が固定的に設置され、前記第二ラックブロック３１の左端面の下側には短軸３４が回転可能に設置され、前記短軸３４と前記展示板３５とが固定的に連結されている。
【００１９】
有益的に、前記洗浄機構８２は前記収納空間１８の後端壁に固定的に連結された支持棒４８を含み、前記支持棒４８の中には前記支持棒４８を貫通した支持軸４６が回転可能に設置され、前記支持軸４６の上端には第四傘歯車４７が固定的に設置され、前記支持軸４６の下端には円形ブロック４５が固定的に設置され、前記円形ブロック４５の下端面には短棒５０が固定的に設置され、前記収納空間１８の後端壁には溝ブロック４９がヒンジにより連結され、前記溝ブロック４９の中には前記溝ブロック４９の前後端面を貫通した制限溝５１が設置され、前記短棒５０の後端が前記制限溝５１の中に位置しており、前記溝ブロック４９の後端面には洗浄綿５２が固定的に設置されている。
【００２０】
有益的に、前記半歯車１３が回転する時にまず前記第一ラックブロック３６と噛合伝動してから前記第二ラックブロック３１と噛合伝動する。
【００２１】
有益的に、前記第二扇形傘歯車２５が回転した後にまず前記第三傘歯車２２と噛合伝動し、前記第一扇形傘歯車３３が回転した後に前記第四傘歯車４７と噛合伝動する。
【００２２】
前記携帯に便利なセルフクリーニング文字展示系統の全体の機械動作の順序：
【００２３】
１．普通状態の時に、展示板３５の下端面に書写できる。
２．展示板３５の下端面が文字でいっぱいになった後、モータ５５を起動し、モータ軸２９を反時計回りに回転連動させ、半歯車１３と、第一傘歯車２８と第一扇形傘歯車３３とがモータ軸２９にしたがって回転し、半歯車１３はまず第一ラックブロック３６と噛み合い、第一ラックブロック３６を押し出し、展示板３５が第一ラックブロック３６に従って伸び出て、第一傘歯車２８と第二傘歯車２３との噛合伝動により、第二傘歯車２３を回転連動させ、第二扇形傘歯車２５が第二傘歯車２３にしたがって回転する。
３．半歯車１３が第一ラックブロック３６との噛合から離脱した後、第二扇形傘歯車２５が第三傘歯車２２と噛合伝動して第一プーリ２０を回転連動させ、ベルト１２の摩擦伝動により第二プーリ３８を回転連動させ、展示板３５が第二プーリ３８に従って百八十度回転し、展示板３５の使用された面が内側に回転し、展示板３５の控えの面が外側に回転する。
４．半歯車１３が引き続き回転して第二ラックブロック３１と噛み合い、展示板３５を上に押して復帰させ、半歯車１３が第二ラックブロック３１との噛合から離脱した後、第一扇形傘歯車３３が第四傘歯車４７と噛み合うまで回転し、第四傘歯車４７を回転連動させ、円形ブロック４５が第四傘歯車４７にしたがって回転し、短棒５０が円形ブロック４５にしたがって回転し、溝ブロック４９を押し動かして左右に往復に運動させ、洗浄綿５２が溝ブロック４９にしたがって運動して展示板３５を洗浄する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は携帯に便利なセルフクリーニング文字展示系統を開示した。
【解決手段】文字書写箱を含み、前記文字書写箱の中には下方に開口した収納空間が設置され、前記収納空間の後端壁には駆動機構が設置され、前記駆動機構は前記携帯に便利なセルフクリーニング文字展示系統の運行を制御でき、
前記駆動機構の左右両側には展示機構が設置され、前記展示機構は上下にスライド可能な中空ブロックとソリッドブロックとを含み、前記中空ブロックと前記ソリッドブロックとが共に運動し、前記中空ブロックと前記ソリッドブロックとの間には回転可能な展示板が設置され、前記展示板の下端面に文字を書写でき、前記展示板の上端面は控えの書写面であり、前記駆動機構は前記展示機構を駆動して下へ外部空間まで伸び出してから前記展示板を回転連動させることで、控えの書写面を下に向かせて前記展示機構を収める。
【選択図】図１【図１】
0006814336.tif 000002
【図２】
0006814336.tif 000003
【図３】
0006814336.tif 000004
【図４】
0006814336.tif 000005
【図５】
0006814336.tif 000006